(57)【要約】  【課題】ＣＲＴの管面強度を確保しつつ総重量の軽量化を図ることが可能なＣＲＴテレビジョン受像機およびＣＲＴ表示装置を提供する。  【解決手段】ＣＲＴ表示装置の一例であるＣＲＴテレビジョン受像機１において、ＣＲＴ３の画像表示面である管面３ａを形成するガラスの肉厚Ｇを従来のＣＲＴ管面のガラスの肉厚より薄くするとともに、ＣＲＴ３の強度試験で管面３ａに向かって所定の外力を加えたときに管面３ａのガラスの飛散状態が所定の基準を満たすように管面３ａを補強可能な肉厚Ｐを有する透明な強化プラスチック４を管面３ａ全体に張り付ける。【選択図】  図１
2006269315.tif 000002
【特許請求の範囲】
【請求項１】
本体フレーム内に収納されたＣＲＴに画像を表示するＣＲＴテレビジョン受像機において、
前記ＣＲＴの表示面である管面を形成するガラスの肉厚を大気圧下で前記ＣＲＴの形状を維持可能な最低限度の肉厚以上の範囲で薄くするとともに、前記ＣＲＴの所定の強度試験で前記管面に向かって所定の外力を加えたときに前記ガラスの飛散状態が所定の基準を満たすように前記管面を補強および保護可能でかつ重量が前記ガラスの薄型化による前記ＣＲＴの重量の変化量より軽くなる肉厚を有する透明な強化プラスチックを前記管面全体に空気が介在しないように密着状態で張り付けたことを特徴とするＣＲＴテレビジョン受像機。
【請求項２】
本体フレーム内に収納されたＣＲＴに画像を表示するＣＲＴ表示装置において、
前記ＣＲＴの表示面である管面を形成するガラスの肉厚を薄くするとともに、前記管面に向かって所定の外力が加わったときに前記ガラスの飛散状態が所定の基準を満たすように前記管面を補強可能な肉厚を有する透明な強化プラスチックを前記管面全体に張り付けたことを特徴とするＣＲＴ表示装置。
【請求項３】
請求項２に記載のＣＲＴ表示装置において、
前記強化プラスチックの重量が前記管面の前記ガラスの薄型化による前記ＣＲＴの重量の変化量より軽くなるように、前記強化プラスチックの肉厚を設定したことを特徴とするＣＲＴ表示装置。
【請求項４】
請求項２または請求項３に記載のＣＲＴ表示装置において、
前記強化プラスチックを前記管面全体に空気が介在しないように密着状態で張り付けたことを特徴とするＣＲＴ表示装置。
【発明の詳細な説明】
【技術分野】
【０００１】
本発明は、ＣＲＴを用いたＣＲＴテレビジョン受像機およびＣＲＴ表示装置に関するものである。
【背景技術】
【０００２】
ＣＲＴ（Cathode Ray Tube：陰極線管）を用いたテレビジョン受像機等のＣＲＴ表示装置は、本体フレーム内にＣＲＴが収納されていて、ＣＲＴの内部に設けられた電子銃からＣＲＴの管面の裏側に設けられた蛍光膜に電子ビームを照射して、蛍光膜を光らせることにより、管面にテレビジョン信号に基づく画像等を表示させる。
【０００３】
ＣＲＴは密閉されたガラスのチューブからなり、該チューブの内部は電子ビームの流れを妨げないように高真空になっている。このように内部が高真空になっていると、大気圧がチューブを押し潰そうとするので、この圧力に耐えるために、ガラスの肉厚は厚くなっている。また、ＣＲＴの管面を緩やかな曲面にすると、上記圧力に耐えるのに効果的であるが、表示画像が歪んで見えるという弱点があるため、最近は、管面のガラスの肉厚を厚くして強度を確保し、管面をフラットにしたものが主流となっている。特に、管面が大面積（大画面）でかつフラットなＣＲＴがユーザに好まれている。
【０００４】
ＣＲＴの安全を保証するための標準化された試験には、ＣＲＴの管面に所定の外力（衝撃）を加えて、ガラスの飛散状態を測るものがある（ＩＥＣ６１９６５、ＵＬ６１９６５）。この試験の基準は厳しいため、該基準を満足できるように、管面のガラスの肉厚は、大気圧に耐え得る肉厚より厚く設定されている。つまり、管面のガラスの肉厚は、ある程度の安全強度を確保するように厚く設定されている。
【０００５】
一方、ＣＲＴ表示装置より奥行きが小さな平板型表示装置には、下記の特許文献１に記載されているように、画像を表示するＣＦＰパネルの表面に、ＣＦＰが爆発した際のガラス破片の飛散および視聴者側への飛び出しを防止可能な透明のプラスチック製のシートを貼り付けたものがある。また、下記の特許文献２に記載されているように、ガラス製またはプラスチック製の補強板を接合した電子源板ガラスと、ガラス製の補強板を接合した蛍光面板ガラスと、該電子源板と蛍光面板の間隔を一定に保つ枠ガラスとにより、真空容器を形成しているものがある。さらに、下記の特許文献３に記載されているように、金属容器と、大気圧に耐え得る程度の肉厚を有しかつガラス製の補強板を接合したフェースガラスとにより、真空容器を形成しているものがある。
【特許文献１】特開平７−３３５１４６号公報
【特許文献２】特開２０００−２０６９０５号公報
【特許文献３】特開平４−１６９０４６号公報
【発明の開示】
【発明が解決しようとする課題】
【０００６】
上述した従来のＣＲＴ表示装置のように、ＣＲＴの管面強度を確保するために管面のガラスの肉厚を厚くすると、ＣＲＴの重量が重くなってしまい、また一般にＣＲＴの重量はＣＲＴ表示装置の総重量の８〜９割を占めるため、装置の総重量も顕著に重くなってしまう。装置の総重量が重くなると、例えば、装置の梱包状態での落下試験の際に落下衝撃エネルギーが高くなって試験基準を満足しなくなったり、装置の輸送時やユーザ使用時に装置の移動が困難になったりするというような弊害を生じる。
【０００７】
一方、上述した特許文献１の技術は、プラスチック製のシートによってガラス破片の飛散および飛び出しを防止するものであり、装置の総重量については何も考慮していない。また、上述した特許文献２、３の技術は、ガラス製またはプラスチック製の補強板によりガラスの強度を確保するものであり、装置の総重量については何も考慮しておらず、むしろ補強板によって装置の総重量が一層重くなる恐れがある。
【０００８】
本発明は、以上の問題点を解決するものであって、その課題とするところは、ＣＲＴの管面強度を確保しつつ装置の総重量の軽量化を図ることが可能なＣＲＴテレビジョン受像機およびＣＲＴ表示装置を提供することにある。
【課題を解決するための手段】
【０００９】
本発明では、本体フレーム内に収納されたＣＲＴに画像を表示するＣＲＴ表示装置において、ＣＲＴの表示面である管面を形成するガラスの肉厚を薄くするとともに、管面に向かって所定の外力が加わったときにガラスの飛散状態が所定の基準を満たすように管面を補強可能な肉厚を有する透明な強化プラスチックを管面全体に張り付ける。
【００１０】
このようにすると、ＣＲＴの管面のガラスの肉厚を薄くすることによって低減する管面強度を、ガラスよりも密度が小さい強化プラスチックによって強化して補うことができるので、管面強度を所定の外力に耐え得る程度に確保しつつ、ＣＲＴ表示装置の総重量の軽量化を図ることが可能となる。この結果、ＣＲＴ表示装置の梱包状態での落下試験の際に、落下衝撃エネルギーが高くなるのを抑制して、該装置を壊れ難く、即ち該試験基準を満足し易くすることができる。また、ＣＲＴ表示装置の輸送時やユーザ使用時に、該装置の移動を容易にすることができる。また、ＣＲＴの製造上、管面のガラスの肉厚を薄くするのは厚くするよりも、ガラスに発生する熱歪が小さくなってクラックが生じ難くなることや熱処理工程が簡易になること等の理由により、製造し易くコストを削減することができる。さらに、強化プラスチックはガラスよりも加工し易いので、強化プラスチックをブルーやグレー等に着色したり、強化プラスチックの表面処理の粗さを変えたりすることによって、ＣＲＴ内から出射する光の透過率を変えて輝度を調整することや、外部から入射する光の反射を吸収することを容易に行うことができる。
【００１１】
また、本発明の好ましい実施形態では、強化プラスチックの重量が管面のガラスの薄型化によるＣＲＴの重量の変化量より軽くなるように、強化プラスチックの肉厚を設定する。
【００１２】
このようにすると、ＣＲＴの管面強度を所定の外力に耐え得る程度に確保しつつ、ＣＲＴ表示装置の総重量を管面のガラスを薄型化しないときより確実に軽くすることができる。
【００１３】
また、本発明の好ましい実施形態では、強化プラスチックを管面全体に空気が介在しないように密着状態で張り付ける。
【００１４】
このようにすると、強化プラスチックと管面のガラスとの間に空気層が形成されず、該間でのＣＲＴ内からの出射光や外部からの入射光の乱反射を抑制することができる。
【００１５】
さらに、本発明の典型的な実施形態では、本体フレーム内に収納されたＣＲＴに画像を表示するＣＲＴテレビジョン受像機において、ＣＲＴの表示面である管面を形成するガラスの肉厚を大気圧下でＣＲＴの形状を維持可能な最低限度の肉厚以上の範囲で薄くするとともに、ＣＲＴの所定の強度試験で管面に向かって所定の外力を加えたときにガラスの飛散状態が所定の基準を満たすように管面を補強および保護可能でかつ重量がガラスの薄型化によるＣＲＴの重量の変化量より軽くなる肉厚を有する透明な強化プラスチックを管面全体に空気が介在しないように密着状態で張り付ける。
【００１６】
このようにすると、ＣＲＴの管面のガラスの肉厚を薄くすることによって低減する管面強度を、ガラスよりも密度が小さい強化プラスチックによって強化して補うことができるので、管面強度を大気圧および強度試験で加える所定の外力に耐え得るように確保しつつ、ＣＲＴテレビジョン受像機の総重量の軽量化を確実に図ることが可能となる。
【発明の効果】
【００１７】
本発明によれば、ＣＲＴの管面のガラスの肉厚を薄くすることによって低減する管面強度を、ガラスよりも密度が小さい強化プラスチックによって強化して補うことができるので、管面強度を確保しつつ、装置の総重量の軽量化を図ることが可能となる。
【発明を実施するための最良の形態】
【００１８】
図１は、本発明の実施形態に係るＣＲＴテレビジョン受像機の概略構造を示す側方断面図である。ＣＲＴテレビジョン受像機１は、ＣＲＴ表示装置の一例であり、テレビジョン受像機等である例えばアンテナ（図示省略）により受信したテレビジョン信号に基づく画像をＣＲＴ（Cathode Ray Tube：陰極線管）３に表示する。ＣＲＴテレビジョン受像機１の本体フレーム２内には、ＣＲＴ３、該ＣＲＴ３を駆動する回路（図示省略）が実装された駆動基板１１、ＣＲＴテレビジョン受像機１の各部を制御する回路（図示省略）が実装された制御基板１２、電源回路やフライバッグトランス等（図示省略）が実装された電源基板１３、および操作スイッチ（図示省略）の出力信号等を検出する回路（図示省略）が実装された検出基板１４等が収納されている。
【００１９】
ＣＲＴ３は密閉されたガラスのチューブからなり、内部が高真空になっている。ＣＲＴ３の画像表示面である管面３ａはフラット（平面）になっている。管面３ａを形成するガラスの肉厚Ｇは、大気圧下でＣＲＴ３の形状を維持可能な、即ち大気圧によって潰れない最低限度の肉厚以上の範囲で従来のＣＲＴより薄く設定されている。管面３ａ全体には、透明な強化プラスチック４が接着剤により空気が介在しないように密着状態でかつ本体フレーム２の開口部２ａから表出するように張り付けられている。強化プラスチック４の材質は、例えばポリカーボネイド、ポリエチレンテレフタレート、アクリル、またはポリウレタン等である。強化プラスチック４の肉厚Ｐは、ＣＲＴ３の所定の強度試験で管面３ａに向かって所定の外力を加えたときにガラスの飛散状態が所定の基準を満たすように管面３ａを補強および保護可能で、かつ、強化プラスチック４の重量が上記のように管面３ａのガラスを薄型化したことによるＣＲＴ３の重量の変化量より軽くなるように、即ち管面３ａのガラスを従来より薄くすることによって減少するＣＲＴ３の重量の減少量を相殺しないように設定されている。管面３ａのガラスの肉厚Ｇおよび強化プラスチック４の肉厚Ｐの設定方法は、後で詳述する。
【００２０】
ＣＲＴ３の管面３ａ近傍の外側は、チューブの強度を高めるために金属バンド５で強く締め付けられている。ＣＲＴ３の細くなっている後部の外側には、偏向ヨーク６や磁石７等が取り付けられていて、後部の内側には、電子銃８が内蔵されている。電子銃８から発射した電子ビーム９の進行方向を偏向ヨーク６等で変えながら、電子ビーム９を管面３ａの裏面３ｂに塗布された蛍光膜（図示省略）に所定の走査方式で当てることで、蛍光膜全体が光って、管面に画像が表示される。上記の他にも、ＣＲＴテレビジョン受像機１には、テレビジョン受像機等を構成する各種部品が設けられているが、ここでは図示および説明を省略する。
【００２１】
図２は、ＣＲＴ３の強度試験方法を説明するための図である。本試験は、ＩＥＣ６１９６５およびＵＬ６１９６５で規定された「Mechanical Safety of CRTs」試験である。まず、ＣＲＴテレビジョン受像機１の本体フレーム２に組み込む前のＣＲＴ３を試験箱２０の中に入れて固定する。このとき、試験箱２０の開口部２０ａにＣＲＴ３の前面（管面３ａまたは管面３ａに張り付けた強化プラスチック４）を位置させる。そして、所定の形態の試験片２１を所定の高さから振り子式にＣＲＴ３の前面に衝突させて、所定の衝撃エネルギーを加える。試験片２１は、鉄製のボール（重量２６０ｇ、径４０ｍｍ）と、先端が球状の大小２種類の鉄製のミサイル（大ミサイル：重量２．３ｋｇ、径５０ｍｍ、全長１５８ｍｍ、小ミサイル：重量１．４ｋｇ、先端径３０ｍｍ、後端径４０ｍｍ、全長１７１ｍｍ）の３種類を用いる。また、加える衝突エネルギーは、ボールが２Ｊ（ジュール）、大ミサイルが０．７〜１４Ｊ、小ミサイルが７Ｊである。
【００２２】
上記のようにＣＲＴ３の前面に衝撃エネルギーを加えた後、管面３ａのガラスの飛散状態を計測する。具体的には、ＣＲＴ３の前面からの離間距離が１．０ｍ以上でかつ１．５ｍ未満のエリアＡ１に飛散したガラス片の総重量と、該エリアＡ１に飛散したガラス片のうち最大のものの重量と、ＣＲＴ３の前面からの離間距離が１．５ｍ以上のエリアＡ２に飛散したガラス片のうち最大のものの重量とをそれぞれ計測する。そして、計測した各重量と、試験片ごとおよび計測対象ごとに規定された基準値とを比較し、計測した全ての重量が基準値を上回っていなければ、基準を満足していると判断し、計測した各重量のいずれかが基準値を上回っていれば、基準を満足していないと判断する。このような手順で、管面３ａのガラスの肉厚Ｇおよび強化プラスチック４の肉厚Ｐが異なる複数種類のＣＲＴ３を次々と試験して行く。
【００２３】
図３は、上記のような手順で、管面３ａのガラスの肉厚Ｇおよび強化プラスチック４の肉厚Ｐが異なる複数種類のＣＲＴ３を次々と試験した結果を示す図である。管面３ａのガラスの肉厚Ｇとしては、Ｇ１〜Ｇ４ｍｍの４水準が設けられ、Ｇ４ｍｍからＧ１ｍｍに行くに連れて薄くなる。また、Ｇ４ｍｍは、従来のＣＲＴの管面のガラスの肉厚であり、Ｇ１ｍｍは、大気圧下でＣＲＴ３の形状を維持可能な最低限度の肉厚である。強化プラスチック４の肉厚Ｐとしては、０〜Ｐ５ｍｍの６水準が設けられ、０ｍｍからＰ５ｍｍに行くに連れて厚くなる。また、強化プラスチック４の肉厚Ｐが０ｍｍというのは、管面３ａに強化プラスチック４が張り付けられていない状態である。
【００２４】
管面３ａのガラスの肉厚Ｇ１〜Ｇ４ｍｍのいずれかと強化プラスチック４の肉厚０〜Ｐ５ｍｍのいずれかを組み合わせて上記試験を行った結果は、それぞれの交点に「○」または「▲」で示している。「○」は、試験基準を満足したことを示し、「▲」は、試験基準を満足しなかったことを示している。図３では、管面３ａのガラスの肉厚ＧがＧ４ｍｍの場合は、強化プラスチック４の有無に関係なく試験基準を満足し、Ｇ３ｍｍの場合は、強化プラスチック４の肉厚ＰがＰ２ｍｍ以上で試験基準を満足し、Ｇ２ｍｍの場合は、強化プラスチック４の肉厚ＰがＰ３ｍｍ以上で試験基準を満足し、Ｇ１ｍｍの場合は、強化プラスチック４の肉厚ＰがＰ４ｍｍ以上で試験基準を満足している。
【００２５】
図４は、管面３ａのガラスの肉厚Ｇおよび強化プラスチック４の肉厚Ｐが異なる複数種類のＣＲＴ３を組み込んだ場合のＣＲＴテレビジョン受像機１の総重量を示す図である。なお、一般に、ＣＲＴ３の材質のガラスの密度は、約２．２〜２．５ｇ／ｃｍ３程度であり、前述した強化プラスチック４の材質の樹脂の密度は、約１．０〜１．２ｇ／ｃｍ３程度である。ＣＲＴ３の管面３ａに強化プラスチック４が張り付けられていない場合（強化プラスチック４の肉厚Ｐが０ｍｍ）のＣＲＴテレビジョン受像機１の総重量Ｗは、管面３ａのガラスの肉厚ＧがＧ１ｍｍであればＷ１ｋｇ、Ｇ２ｍｍであればＷ２ｋｇ、Ｇ３ｍｍであればＷ３ｋｇ、Ｇ４ｍｍであればＷ４ｋｇである。また、ＣＲＴ３の管面３ａに強化プラスチック４が張り付けられている場合（強化プラスチック４の肉厚ＰがＰ１〜Ｐ５ｍｍのいずれか）のＣＲＴテレビジョン受像機１の総重量Ｗは、管面３ａのガラスの肉厚Ｇ１〜Ｇ４の符号を付した実線で示すように、管面３ａのガラスの肉厚Ｇおよび強化プラスチック４の肉厚Ｐが厚くなるに連れて重くなっている。
【００２６】
図４では、管面３ａのガラスの肉厚ＧがＧ１ｍｍまたはＧ２ｍｍのＣＲＴ３に、最大肉厚Ｐ５の強化プラスチック４を張り付けても、ＣＲＴテレビジョン受像機１の総重量Ｗは従来のＣＲＴ（管面のガラスの肉厚がＧ４ｍｍのＣＲＴ）を組み込んだＣＲＴテレビジョン受像機１の総重量Ｗ４ｋｇを上回っていない。一方、管面３ａのガラスの肉厚ＧがＧ３ｍｍのＣＲＴ３に、肉厚Ｐ３〜Ｐ５の強化プラスチック４を張り付けると、ＣＲＴテレビジョン受像機１の総重量Ｗは従来のＣＲＴを組み込んだＣＲＴテレビジョン受像機１の総重量Ｗ４ｋｇを上回っている。
【００２７】
上述した図３および図４のデータに基づいて、ＣＲＴ３の管面３ａのガラスの肉厚Ｇと管面３ａに張り付ける強化プラスチック４の肉厚Ｐの良好な組み合わせ、即ち上述した試験基準を満足しかつＣＲＴテレビジョン受像機１の総重量Ｗが従来の総重量Ｗ４ｋｇより軽くなる組み合わせを設定する。本例では、管面３ａのガラスの肉厚ＧがＧ３ｍｍに対して強化プラスチック４の肉厚ＰがＰ２ｍｍ、管面３ａのガラスの肉厚ＧがＧ２ｍｍに対して強化プラスチック４の肉厚ＰがＰ３〜Ｐ５ｍｍ、管面３ａのガラスの肉厚ＧがＧ１ｍｍに対して強化プラスチック４の肉厚ＰがＰ４、Ｐ５ｍｍの組み合わせが良好である。このうち、管面３ａのガラスの肉厚ＧがＧ１ｍｍに対して強化プラスチック４の肉厚ＰがＰ４ｍｍの組み合わせが、ＣＲＴテレビジョン受像機１の総重量Ｗが最も軽くなるので最良である。また、設定する管面３ａのガラスの肉厚Ｇおよび強化プラスチック４の肉厚Ｐは、上記の値（Ｇ１、Ｇ２、Ｇ３、Ｐ２、Ｐ３、Ｐ４、Ｐ５）のみに限らず、例えば図４にハッチングで示す範囲、即ち総重量Ｗ４の破線Ｌ１と管面３ａのガラスの肉厚Ｇ１の実線と図３の試験結果のＯＫとＮＧの境界を示す二点鎖線Ｌ２とで囲まれる範囲にある値にしてもよい。
【００２８】
以上のように、ＣＲＴ３の管面３ａのガラスの肉厚ＧをＧ４ｍｍより薄くするとともに、管面３ａ全体にそのガラスの肉厚Ｇに対応する肉厚Ｐ２〜Ｐ５ｍｍの強化プラスチック４を張り付けると、管面３ａのガラスの肉厚Ｇを薄くすることによって低減する管面３ａの強度を、ガラスよりも密度が小さい強化プラスチック４によって強化して補うことができる。または、管面３ａの強度をガラスの肉厚ＧがＧ４ｍｍのものより増大させることができる。よって、ＣＲＴ３の管面３ａの強度を大気圧および上述の強度試験で加える所定の外力に耐え得るように確保しつつ、ＣＲＴテレビジョン受像機１の総重量の軽量化を図ることが可能となる。また、強化プラスチック４の重量が管面３ａのガラスの薄型化によるＣＲＴ３の重量の変化量より軽くなるように、強化プラスチック４の肉厚Ｐが設定されるので、ＣＲＴテレビジョン受像機１の総重量Ｗを管面３ａのガラスを薄型化しないときより確実に軽くすることが可能となる。
【００２９】
上記の結果、ＣＲＴテレビジョン受像機１の梱包状態での落下試験の際に、落下衝撃エネルギーが高くなるのを抑制して、該装置１を壊れ難く、即ち該試験基準を満足し易くすることができる。また、ＣＲＴテレビジョン受像機１の輸送時やユーザ使用時に、該装置１の移動を容易にすることができる。
【００３０】
また、ＣＲＴ３の製造上、管面３ａのガラスの肉厚Ｇを薄くするのは厚くするよりも、ガラスに発生する熱歪が小さくなってクラックが生じ難くなることや熱処理工程が簡易になること等の理由により、製造し易くコストを削減することができる。また、強化プラスチック４はガラスよりも加工し易いので、強化プラスチック４をブルーやグレー等に着色したり、強化プラスチック４の表面処理の粗さを変えたりすることによって、ＣＲＴ３内から出射する光の透過率を変えて輝度を調整することや、外部から入射する光の反射を吸収することを容易に行うことができる。
【００３１】
さらに、強化プラスチック４を管面３ａ全体に空気が介在しないように密着状態で張り付けるので、強化プラスチック４と管面３ａのガラスとの間に空気層が形成されず、該間でのＣＲＴ３内からの出射光や外部からの入射光の乱反射を抑制することができる。
【００３２】
本発明は、以上述べた実施形態以外にも種々の形態を採用することができる。例えば、以上の実施形態では、ＣＲＴ３の管面３ａに強化プラスチック４を接着剤により張り付けているが、本発明はこれのみに限定するものではない。これ以外に、例えば図５に示すように強化プラスチック４の側部にフランジ４ａを設け、該フランジ４ａに形成したロック孔４ｂとＣＲＴ３を締め付ける金属バンド５に設けたロック５ａとを嵌合させて、管面３ａに強化プラスチック４を張り付けるようにしてもよい。つまり、ＣＲＴの管面への強化プラスチックの張り付けは、上記のような機械的構造でもよいし、接着剤や樹脂融着のような化学的手段でもよい。
【００３３】
また、以上の実施形態では、管面３ａがフラットなＣＲＴ３を用いたＣＲＴテレビジョン受像機１に、本発明を適用した場合を例に挙げているが、本発明はこれ以外にも、例えば管面が曲面であるＣＲＴや管面の面積が広いＣＲＴを用いたＣＲＴ表示装置に適用することが可能である。然るに、管面がフラットなＣＲＴは管面が曲面であるＣＲＴより強度が弱く、また管面の面積が広いＣＲＴは管面の面積が狭いＣＲＴより強度が弱いので、管面がフラットなＣＲＴや管面の面積が広いＣＲＴを用いたＣＲＴ表示装置に本発明を適用することはより効果的である。
【００３４】
さらに、以上の実施形態では、ＣＲＴテレビジョン受像機１に、本発明を適用した場合を例に挙げているが、本発明はこれ以外にも、例えばビデオおよびＤＶＤプレーヤが内蔵された内蔵型テレビジョン受像機や、パーソナルコンピュータ用のＣＲＴディスプレイのようなＣＲＴ表示装置に適用することが可能である。
【図面の簡単な説明】
【００３５】
【図１】本発明の実施形態のＣＲＴテレビジョン受像機の側方断面図である。
【図２】ＣＲＴの強度試験方法を説明するための図である。
【図３】同試験結果を示す図である。
【図４】ＣＲＴテレビジョン受像機の総重量を示す図である。
【図５】他の実施形態を示す図である。
【符号の説明】
【００３６】
１  ＣＲＴテレビジョン受像機
２  本体フレーム
３  ＣＲＴ
３ａ  ＣＲＴの管面
４  強化プラスチック
Ｇ、Ｇ１〜Ｇ４  ＣＲＴの管面を形成するガラスの肉厚
Ｐ、Ｐ１〜Ｐ５  強化プラスチックの肉厚
【図１】
2006269315.tif 000003
【図２】
2006269315.tif 000004
【図３】
2006269315.tif 000005
【図４】
2006269315.tif 000006
【図５】
2006269315.tif 000007